(57)【要約】【課題】従動コロの表面に付着した削れ粉により発生する記録紙への多重露光を抑制できる。【解決手段】光走査位置Ｅに導入される幅８９ｍｍのカット記録紙の側縁に接触する位置（側縁が通過する位置）に、従動コロＡ〜Ｄを設けない。これにより、幅８９ｍｍのカット記録紙が、ガイドプレートと押さえコロ４８、４９との間を通過しても、押さえコロ４８、４９にカット記録紙の側縁が接触することがない。このため、カット記録紙の側縁の削れ粉が押さえコロ４８、４９に付着せず、押さえコロ４８、４９の表面に付着した削れ粉により発生するカット記録紙への多重露光を防止できる。【選択図】図４
2007139978.tif 000002
【特許請求の範囲】
【請求項１】
光走査される記録媒体を搬送する搬送手段と、
前記記録媒体が光走査される光走査位置に設けられ、前記記録媒体の非記録面を受ける基準ガイドと、
前記搬送手段による搬送方向と直交する方向に沿って複数設けられ、前記記録媒体を前記基準ガイドへ押さえて、光走査における所定の深度を確保する従動コロと、
を備え、
前記記録媒体の側縁と接触する位置には、前記従動コロが設けられていないことを特徴とする搬送装置。
【請求項２】
光走査される記録媒体を搬送する搬送手段と、
前記記録媒体が光走査される光走査位置に設けられ、前記記録媒体の非記録面を受ける基準ガイドと、
前記搬送手段による搬送方向と直交する方向に沿って複数設けられ、前記記録媒体を前記基準ガイドへ押さえて、光走査における所定の深度を確保する従動コロと、
を備え、
前記記録媒体の側縁と接触可能な位置にある従動コロは、他の位置にある従動コロの径よりも小さくされていることを特徴とする搬送装置。
【請求項３】
光走査される記録媒体を搬送する搬送手段と、
前記記録媒体が光走査される光走査位置に設けられ、前記記録媒体の非記録面を受ける基準ガイドと、
前記搬送手段による搬送方向と直交する方向に沿って複数設けられ、前記記録媒体を前記基準ガイドへ押さえて、光走査における所定の深度を確保する従動コロと、
を備え、
前記記録媒体の側縁と接触する位置にある従動コロは、他の位置にある従動コロの材質よりも帯電しにくい材質であることを特徴とする搬送装置。
【請求項４】
前記搬送手段は、幅の異なる複数の記録媒体を搬送可能であり、
所定幅の第１記録媒体の側縁と接触する位置には、前記従動コロが設けられていないと共に、前記第１記録媒体より使用頻度の低い幅の第２記録媒体の側縁に接触する位置にある従動コロは、他の位置にある従動コロの材質よりも帯電しにくい材質であることを特徴とする請求項１に記載の搬送装置。
【請求項５】
前記搬送手段は、幅の異なる複数の記録媒体を搬送可能であり、
所定幅の第１記録媒体の側縁と接触可能な位置にある従動コロは、他の位置にある従動コロの径よりも小さくされていると共に、前記第１記録媒体より使用頻度の低い幅の第２記録媒体の側縁と接触する位置にある従動コロは、他の位置にある従動コロの材質よりも帯電しにくい材質であることを特徴とする請求項２に記載の搬送装置。
【請求項６】
請求項１〜５のいずれか１項に記載の搬送装置を備えたことを特徴とする画像形成装置。
【発明の詳細な説明】
【技術分野】
【０００１】
本発明は、光走査される記録媒体を搬送する搬送装置及びその搬送装置を備える画像形成装置に関する。
【背景技術】
【０００２】
写真フィルムに記録された画像を光電的に読み取ることで得られるデジタルの画像データや、メモリカードなどに記録された画像データに基づいて強度変調される記録光によって、印画紙等の記録媒体を露光した後、現像・乾燥処理を行ってプリント写真を作成するプリンタプロセサ（画像形成装置）が広く普及している。
【０００３】
このようなプリンタプロセサには、レーザ光源から記録光を照射して光感応性の記録媒体上を画像走査記録する露光装置と、画像走査記録がなされる記録媒体を一定の方向に搬送する搬送装置と、が設けられている。
【０００４】
この搬送装置において、光走査位置で記録媒体が基準ガイドから浮くことによる焦点深度のずれを生じないようにするため、記録媒体を挟持搬送する一対の搬送ローラとは別に、光走査位置の近傍に記録媒体を基準ガイドへ押さえる従動コロを設ける構成が知られている(例えば、特許文献１)。
【０００５】
この従動コロは、光走査位置の近傍に設けられているため、光源からのフレア光（画像記録に寄与しない光）が、従動コロによって記録媒体に向けて反射され、記録媒体を多重露光してしまうおそれがある。そこで、通常は、フレア光が従動コロによって反射されにくい様、従動コロの周面をつや消しの黒色にする工夫をしている。
【特許文献１】特開２０００−２０６６３８号公報
【発明の開示】
【発明が解決しようとする課題】
【０００６】
しかしながら、特に、記録媒体として支持体の一部に紙等の削れ粉が発生しやすいもの(例えば、印画紙では、紙粉に相当)を使用すると、かかる記録媒体の削れ粉が従動コロに付着して、結果的に削れ粉が付着した部分が光源からのフレア光を反射して記録媒体を多重に露光するという不具合が生じていた。
【０００７】
本発明は、上記事実を考慮し、かかる従動コロの表面に付着した削れ粉により発生する記録媒体への多重露光を抑制できる搬送装置及びその搬送装置を備えた画像形成装置を提供することを目的とする。
【課題を解決するための手段】
【０００８】
本発明の請求項１に係る搬送装置は、光走査される記録媒体を搬送する搬送手段と、前記記録媒体が光走査される光走査位置に設けられ、前記記録媒体の非記録面を受ける基準ガイドと、前記搬送手段による搬送方向と直交する方向に沿って複数設けられ、前記記録媒体を前記基準ガイドへ押さえて、光走査における所定の深度を確保する従動コロと、を備え、前記記録媒体の側縁と接触する位置には、前記従動コロが設けられていないことを特徴とする。
【０００９】
この構成によれば、搬送手段が、光走査される記録媒体を搬送する。搬送手段で搬送される記録媒体は、複数の従動コロによって、基準ガイドに押さえられて、光走査における所定の深度が確保される。
【００１０】
ここで、請求項１の構成では、記録媒体の側縁に接触する位置に、従動コロが設けられていない。
【００１１】
このため、記録媒体の側縁が従動コロに接触せず、記録媒体の側縁の削れ粉が従動コロに付着しない。これにより、従動コロの表面に付着した削れ粉により発生する記録媒体への多重露光を防止できる。
【００１２】
本発明の請求項２に係る搬送装置は、光走査される記録媒体を搬送する搬送手段と、前記記録媒体が光走査される光走査位置に設けられ、前記記録媒体の非記録面を受ける基準ガイドと、前記搬送手段による搬送方向と直交する方向に沿って複数設けられ、前記記録媒体を前記基準ガイドへ押さえて、光走査における所定の深度を確保する従動コロと、を備え、前記記録媒体の側縁と接触可能な位置にある従動コロは、他の位置にある従動コロの径よりも小さくされていることを特徴とする。
【００１３】
この構成によれば、搬送手段が、光走査される記録媒体を搬送する。搬送手段で搬送される記録媒体は、複数の従動コロによって、基準ガイドに押さえられて、光走査における所定の深度が確保される。
【００１４】
ここで、請求項２の構成では、記録媒体の側縁に接触可能な位置にある従動コロは、他の位置にある従動コロの径よりも小さくされている。
【００１５】
このため、記録媒体の側縁が基準ガイドから浮いていない状態においては、他の位置にある径の大きい従動コロのみに記録媒体が接触し、径の小さい従動コロに記録媒体の側縁が接触しない。これにより、記録媒体の側縁の削れ粉が従動コロに付着せず、従動コロの表面に付着した削れ粉により発生する記録媒体への多重露光を防止できる。
【００１６】
また、記録媒体の側縁が基準ガイドから所定量以上浮いた場合には、記録媒体の側縁が従動コロに接触して、記録媒体の浮きが抑制される。
【００１７】
本発明の請求項３に係る搬送装置は、光走査される記録媒体を搬送する搬送手段と、前記記録媒体が光走査される光走査位置に設けられ、前記記録媒体の非記録面を受ける基準ガイドと、前記搬送手段による搬送方向と直交する方向に沿って複数設けられ、前記記録媒体を前記基準ガイドへ押さえて、光走査における所定の深度を確保する従動コロと、を備え、前記記録媒体の側縁と接触する位置にある従動コロは、他の位置にある従動コロの材質よりも帯電しにくい材質であることを特徴とする。
【００１８】
この構成によれば、搬送手段が、光走査される記録媒体を搬送する。搬送手段で搬送される記録媒体は、複数の従動コロによって、基準ガイドに押さえられて、光走査における所定の深度が確保される。
【００１９】
ここで、請求項３の構成では、記録媒体の側縁と接触する位置にある従動コロは、他の位置にある従動コロの材質よりも帯電しにくい材質である。
【００２０】
このため、記録媒体の側縁の削れ粉が従動コロに付着しにくく、従動コロの表面に付着した削れ粉により発生する記録媒体への多重露光を抑制できる。
【００２１】
本発明の請求項４に係る搬送装置は、請求項１の構成において、前記搬送手段が、幅の異なる複数の記録媒体を搬送可能であり、所定幅の第１記録媒体の側縁と接触する位置にが、前記従動コロが設けられていないと共に、前記第１記録媒体より使用頻度の低い幅の第２記録媒体の側縁に接触する位置にある従動コロが、他の位置にある従動コロの材質よりも帯電しにくい材質であることを特徴とする。
【００２２】
搬送手段が、幅の異なる複数の記録媒体を搬送できる構成において、すべての幅の記録媒体の側縁に接触する位置に、従動コロを設けない構成とすると、記録媒体が基準ガイドから浮きやすくなる。
【００２３】
本発明の請求項４の構成では、所定幅の第１記録媒体の側縁と接触する位置には、従動コロが設けられていないと共に、第１記録媒体より使用頻度の低い幅の第２記録媒体の側縁に接触する位置にある従動コロは、他の位置にある従動コロの材質よりも帯電しにくい材質である。
【００２４】
このため、幅の異なる複数の記録媒体を搬送する構成であっても、記録媒体が基準ガイドから浮くことを抑制できる。また、記録媒体の使用頻度により、従動コロの構成を使い分けることにより、記録媒体の側縁の削れ粉が従動コロに付着することを抑制する。
【００２５】
本発明の請求項５に係る搬送装置は、請求項２の構成において、前記搬送手段が、幅の異なる複数の記録媒体を搬送可能であり、所定幅の第１記録媒体の側縁と接触可能な位置にある従動コロが、他の位置にある従動コロの径よりも小さくされていると共に、前記第１記録媒体より使用頻度の低い幅の第２記録媒体の側縁と接触する位置にある従動コロが、他の位置にある従動コロの材質よりも帯電しにくい材質であることを特徴とする。
【００２６】
幅の異なる複数の記録媒体を搬送する場合において、すべての幅の記録媒体の側縁と接触可能な位置にある従動コロを、他の位置にある従動コロの径よりも小さくすると、記録媒体が基準ガイドから浮きやすくなる。
【００２７】
本発明の請求項５の構成では、所定幅の第１記録媒体の側縁と接触可能な位置にある従動コロは、他の位置にある従動コロの径よりも小さくされていると共に、第１記録媒体より使用頻度の低い幅の第２記録媒体の側縁と接触する位置にある従動コロは、他の位置にある従動コロの材質よりも帯電しにくい材質である。
【００２８】
このため、幅の異なる複数の記録媒体を搬送する構成であっても、記録媒体が基準ガイドから浮くことを抑制できる。また、記録媒体の使用頻度により、従動コロの構成を使い分けることにより、記録媒体の側縁の削れ粉が従動コロに付着することを抑制する。
【００２９】
本発明の請求項６に係る画像形成装置は、請求項１〜５のいずれか１項に記載の搬送装置を備えたことを特徴とする。
【発明の効果】
【００３０】
本発明は、上記構成としたので、従動コロの表面に付着した削れ粉により発生する記録媒体への多重露光を抑制できる。
【発明を実施するための最良の形態】
【００３１】
以下に、本発明の搬送装置及びその搬送装置を備えた画像形成装置に係る実施形態の一例を図面に基づき説明する。
【００３２】
まず、本発明の搬送装置を備えた画像形成装置の全体構成を説明する。図１は、本発明の搬送装置を備えた画像形成装置としてのプリンタプロセサ１０の全体構成を示す図である。
【００３３】
図１に示すように、プリンタプロセサ１０は、画像入力装置１２、画像処理装置１４、プリンタ１６及びプロセサ１８を備えている。プリンタプロセサ１０を構成する各部は、図示しない配線を介して制御部１７に接続されており、この制御部１７によってプリンタプロセサ１０全体の動作が制御される。
【００３４】
画像入力装置１２は、写真フィルムに記録された画像の投影光をＣＣＤイメージセンサなどの撮像素子を用いて光電的に読み取ることで画像データを生成し、あるいはメモリカードなどの記録媒体に記録された画像データを読み出すことで、画像データを取得する。
【００３５】
この画像データは画像処理装置１４に送られ、カラーバランス補正や濃度補正などの画像処理が行われる。画像処理が行われた画像データはプリンタ１６に送られ、後述する画像記録時に用いられる。
【００３６】
プリンタ１６は、所定長にカットされたカット記録紙を搬送しながら、画像データに基づいて強度変調された記録光にて画像記録を行うものであり、搬送方向の上流側から、供給部２０、裏印字部２２、レジスト部２４、画像記録部２６、副走査受け部２８、及び搬出部３０を備えている。各部位には、駆動ローラとニップローラとから構成される搬送ローラ対が、カット記録紙の搬送路に沿って複数設けられている。
【００３７】
供給部２０には、ロール状に着かれた長尺の感光性記録紙（記録媒体）３２を収納するマガジン２０Ａ、２０Ｂがセットされる。各マガジン２０Ａ、２０Ｂには、感光性記録紙３２を引き出して裏印字部２２に向けて搬送するための引出ローラ対２１Ａ、２１Ｂが設けられている。本実施形態では２つのマガジン２０Ａ、２０Ｂが設けられているが、マガジンは１個でもよいし、３個以上でもよい。
【００３８】
また、このマガジン２０Ａ、２０Ｂに収納される感光性記録紙３２には、図２に示すように、製造工程上のロスを無くすために、帯状の記録紙の端部同士を接合した接合部１３が設けられている。そして、接合部１３には、接合部であることを示すスプライスホール１５が設けられている。このスプライスホール１５の幅Ｌ１は、例えば、２０ｍｍとされている。
【００３９】
マガジン２０Ａ、２０Ｂの出口にはそれぞれ、感光性記録紙３２を切断するためのカッタ３６Ａ、３６Ｂが備えられている。カッタ３６Ａ、３６Ｂは、制御部１７からの制御信号を受けて駆動し、プリントサイズに合わせて所定長だけ送り出された感光性記録紙３２を切断してカット記録紙を形成する。プリントサイズとしては、例えば、Ｌ（８９Ｘ１２７）、パノラマ（８９Ｘ２５４）、ＫＧ（１０２×１５２）、２Ｌ（１２７×１７８）、６切り（２０３×２５４）、Ａ４（２１０×２９７）などがあり、本実施形態は、例えば、搬送方向と直交する方向の幅が、８９、１０２、１２７、１５２、２０３、２１０のカット記録紙に対応する。なお、単位は何れもｍｍである。
【００４０】
また、カッタ３６Ａ、３６Ｂの上流にはそれぞれ、感光性記録紙３２に設けられたスプライスホール１５を検出して制御部１７に信号を出力するスプライスセンサ３４Ａ、３４Ｂが設けられており、このスプライスセンサ３４Ａ、３４Ｂがスプライスホール１５を検出すると、制御部１７は接合部１３が通過する所定の長さの感光性記録紙３２を送り出した後にカッタ３６Ａ、３６Ｂを駆動する。このようにして形成された接合部１３を含むカット記録紙は、裏印字や画像記録が行われずに、そのままソータ６８に排出される。なお、本実施形態においては、ギロチン型のカッタとしているが、これに限らず回転刃を用いたロータリカッタなど、公知の手段を用いてもよい。
【００４１】
裏印字部２２は、写真の撮影日、プリント日、コマ番号、各種ＩＤなどのプリント情報を、カット記録紙の非記録面（露光面と反対側の面）に記録する裏印字ヘッド３８を備えている。裏印字ヘッド３８としては、後に行われる湿式の現像処理に耐性のあるものであればドットインパクトヘッド、インクジェットヘッド、熱転写プリントヘッドなどの公知のプリントヘッドを用いることもできる。
【００４２】
レジスト部２４は、画像記録部２６における光走査位置（露光位置）・角度ズレを防止するために、カット記録紙の傾き及び幅方向の位置を調整するレジスト用ローラ対４０と、このレジスト用ローラ対４０の前後に配置される複数の搬送ローラ対から構成される。レジスト用ローラ対４０による傾き及び幅方向位置を調整する方法は、チルトレジスト、トップレジスト、及びサイドレジストなどの公知の方法を用いることができる。
【００４３】
画像記録部２６は、露光ユニット４２、第１搬送ローラ対４４及び第２搬送ローラ対４６を備える搬送装置４３と、カット記録紙の通過を検出する記録紙センサ４７を備え、制御部１７によって動作制御される。露光ユニット４２は、画像処理装置１４と接続されており、カット記録紙の先端が通過したことを記録紙センサ４７が検出すると、画像データに基づいて強度変調された赤、緑、青の光ビームＬＢを主走査方向（搬送方向と直交する方向）に走査して、カット記録紙に画像を記録する。
【００４４】
第１搬送ローラ対４４、第２搬送ローラ対４６は、光走査位置Ｅを挟むように搬送方向の上流側及び下流側に配置され、カット記録紙を所定の速度で副走査方向（搬送方向と平行な方向）に搬送する。なお、第１搬送ローラ対４４、第２搬送ローラ対４６のニップローラは、カット記録紙を挟持する位置とカット記録紙から離れる位置との間で切り替え可能とされており、位置センサ４５でカット記録紙の先端または後端を検出したときに切り替えられる。これにより、カット記録紙の先端が下流側の第２搬送ローラ対４６に突き当たったり、後端が上流側の第１搬送ローラ対４４から抜け出ることで、カット記録紙に過度の衝撃が加わることを防止する。
【００４５】
副走査受け部２８は、画像記録中に画像記録部２６から送り出されるカット記録紙の先端部を保持する複数のローラ対を備えており、画像記録部２６による搬送速度と同一の速度にてカット記録紙を下流側に送り出す。副走査受け部２８の各ローラ対は、駆動ローラと、ニップ解除可能なニップローラとからなり、画像記録中のカット記録紙の先端が通過した後にカット記録紙を挟持する。これにより、カット記録紙の先端が突き当たって搬送速度が変動することを防止する。
【００４６】
搬出部３０は、副走査受け部２８から送られるカット記録紙を、プロセサ１８の処理速度に対応する速度にて搬送し、プロセサ１８へ送る。
【００４７】
プロセサ１８は、現像処理部６０、スクイズ部６２、乾燥処理部６４、搬出部６６及びソータ６８から構成されている。現像処理部６０には、搬送方向の上流側から順に、発色現像槽７０、漂白定着槽７１と、第１安定槽７３、第２安定槽７４、第３安定槽７５からなる安定槽７２とが設けられている。発色現像槽７０には発色現像液が、漂白定着槽７１には漂白定着液が、また、第１安定槽７３〜第３安定槽７５には安定処理液が、それぞれ所定量貯蔵されており、カット記録紙が、発色現像槽７０、漂白定着槽７１、および第１安定槽７３〜第３安定槽７５にそれぞれ設けられた搬送ラック８０、８１、８３、８４、８５の駆動力を受けて各処理槽７０〜７２内を搬送されることで、現像・定着・安定の各処理が行われる。
【００４８】
スクイズ部６２は第３安定槽７５の上方に配設されており、ブレードと送風ダクトと搬送ロールとから構成されている。ブレードは搬送ロールによって搬送されるカット記録紙の両面に当接してカット記録紙から処理液を掻き落し、送風ダクトは搬送ロールによって搬送されるカット記録紙に向けてエアーを吹き出して、カット記録紙から処理液を吹き飛ばす。
【００４９】
乾燥処理部６４はスクイズ部６２の上方に配置されており、搬送ベルトと送風ダクトとから構成されている。送風ダクトは搬送ベルトに向けてヒータで熱せられた乾燥風を吹き出して、カット記録紙を搬送ベルト側に押し付ける。この状態で送風ダクトの上を通過させることで、カット記録紙に付着した処理液が完全に除去される。そして、乾燥処理部６４を通過したカット記録紙は、搬出部６６によってソータ６８へ送られる。
【００５０】
次に、画像記録部２６に設けられた本発明の搬送装置について説明する。
【００５１】
図３は、本実施形態に係る搬送装置の概略構成を示す図である。図３に示すように、搬送装置４３には、露光ユニット４２が走査露光する光走査位置Ｅの上流側及び下流側に、それぞれ第１搬送ローラ対４４、第２搬送ローラ対４６が設けられている。
【００５２】
第１搬送ローラ対４４は、図示しない搬送モータによって回転駆動される第１キャプスタンローラ４４Ａと、この第１キャプスタンローラ４４Ａとともにカット記録紙を挟持して従動回転する第１ニップローラ４４Ｂとから構成されている。また、第２搬送ローラ対４６は、図示しないベルトを介して第１キャプスタンローラ４４Ａに接続され、第１キャプスタンローラ４４Ａと同期して回転する第２キャプスタンローラ４６Ａと、従動回転する第２ニップローラ４６Ｂとから構成されている。
【００５３】
各搬送ローラ対４４、４６の間の位置、すなわち光走査位置Ｅの近傍と、第１搬送ローラ対４４の上流側と、第２搬送ローラ対４６の下流側には、各搬送ローラ対４４、４６に挟持搬送されるカット記録紙の非記録面を受けるガイドプレート（基準ガイド）７６が配置されている。
【００５４】
また、各ローラ４４Ａ、４４Ｂ、４６Ａ、４６Ｂは、軸方向で複数に分離された、いわゆる串型ローラであって、ガイドプレート７６に設けた切り欠きから各キャプスタンローラ４４Ａ、４６Ａの周面がわずかに突出している。
【００５５】
各ニップローラ４４Ｂ、４６Ｂは、それぞれ第１ローラフレーム５０、及び第２ローラフレーム５１に回動自在に取り付けられており、各ローラフレーム５０、５１は、取付軸５２、５３を介して機枠７８の側板に回動自在に取り付けられる。
【００５６】
機枠７８の側板には、各ローラフレーム５０、５１を図中上下方向に移動させて、各ニップローラ４４Ｂ、４６Ｂのニップ及びニップ解除を行うカム機構９０が設けられている。カム機構９０は、プーリ部９１と、第１偏芯カム９２と、第２偏芯カム９３と、２つのプーリ９４、９５とから構成されており、プーリ部９１と、各プーリ９４、９５には、タイミングベルト９６が巻き掛けられている。また、プーリ９４には、制御部１７からの指示に応じてプーリ９４を回転駆動するモータ９７が接続されている。このモータ９７がプーリ９４を回転駆動することにより、タイミングベルト９６を介してプーリ部９１が回転し、これに応じて第１偏芯カム９２、及び第２偏芯カム９３が回転する。
【００５７】
各ローラフレーム５０、５１の一端には、第１偏芯カム９２、及び第２偏芯カム９３の外周面と接するように、それぞれ第１カムフォロワ５４、及び第２カムフォロワ５５が設けられている。また、各ローラフレーム５０、５１は、機枠７８の上カバーとの間に取り付けられたコイルバネ８６によって、それぞれ第１偏芯カム９２、及び第２偏芯カム９３の外周面に向かう方向に付勢されている。これにより、各偏芯カム９２、９３を回転させることによって、各ローラフレーム５０、５１が各取付軸５２、５３を中心として揺動するので、各ニップローラ４４Ｂ、４６Ｂのニップ及びニップ解除を行うことができる。
【００５８】
光ビームＬＢによる光走査位置（露光位置）Ｅの近傍には、光走査位置Ｅを挟むように搬送方向の上流側及び下流側に、搬送方向と直交する方向に沿って、カット記録紙の記録面側からカット記録紙をガイドプレートへ押さえつける押さえコロ４８、４９が配置されている。この押さえコロ４８、４９が、カット記録紙を押さえることにより、カット記録紙の光走査における所定の深度を確保される。
【００５９】
また、押さえコロ４８、４９は、それぞれ、軸方向で複数に分離されており、複数（本実施形態では、４つ）のコロユニット４８Ａ〜４８Ｄ、４９Ａ〜４９Ｄから構成されている。このコロユニット４８Ａ〜４８Ｄ、４９Ａ〜４９Ｄは、走査方向（カット記録紙搬送方向と直交する方向）に沿って複数配列されたコロ（従動コロ）Ａ〜Ｄから構成されている。（図４参照）。
【００６０】
それぞれのコロユニット４８Ａ〜４８Ｄ、４９Ａ〜４９Ｄは、各ローラフレーム５０、５１にある各取付軸５２、５３に回動自在に設けられた押さえコロ支持体９８、９９の先端に取り付けられ、いわゆる串型のコロをなしている。各ローラフレーム５０、５１と、各押さえコロ支持体９８、９９との間には、ねじりコイルバネ７７、７９が設けられている。このねじりコイルバネ７７、７９は、押さえコロ４８、４９がカット記録紙を押さえつける方向に、各押さえコロ支持体９８、９９を付勢する。
【００６１】
ここで、各コロユニットの構成及び、光走査される各サイズ幅のカット記録紙と各コロユニットの位置関係について説明する。図４は、各コロユニットの構成及び、光走査される各サイズ幅のカット記録紙と各コロユニットの位置関係を示した図である。
【００６２】
図４に示すように、各コロユニット４８Ａ〜４８Ｄ、４９Ａ〜４９Ｄは、その両端が押さえコロ支持体９８に支持されていると共に、複数のコロＡ〜Ｄから構成されている。各コロユニット４８Ａ〜４８Ｄ、４９Ａ〜４９Ｄが、単一のコロで構成されている場合には、コロがたわみ、各コロユニット４８Ａ〜４８Ｄ、４９Ａ〜４９Ｄの軸方向において、カット記録紙への接触圧が均一にならない場合があるが、複数に分割することで、たわみが防止でき、カット記録紙への接触圧が均一となる。なお、図４では、コロユニット４８Ａの押さえコロ支持体のみを図示し、コロユニット４８Ｂ〜Ｄ、４９Ａ〜４９Ｄについては図示を省略している。
【００６３】
押さえコロ４８、４９の軸方向中央部に配置されているコロユニット４８Ｂ、４８Ｃ、４９Ｂ、４９Ｃは、その中央部に、カット記録紙に積極的に接触させるためのコロＡ（例えば、直径３．４ｍｍ）が４つ配置され、コロＡの両端側に、コロＡより径の小さいコロＤ（例えば、直径２．７５ｍｍ）が配置されている。
【００６４】
押さえコロ４８、４９の軸方向両端部に配置されているコロユニット４８Ａ、４８Ｄ、４９Ａ、４９Ｄは、その中央部に、コロＡと同一径の大径コロ及びコロＤと同一径の小径コロから構成されるコロＢが２つ配置され、そのコロＢの両端側には、コロＡと同一径の大径コロ及びコロＡより径の小さくコロＤより径の大きい中径コロ（例えば、直径３．１ｍｍ）から構成されるコロＣが配置され、さらにそのコロＣの両端側には、コロＤが配置されている。
【００６５】
コロＡ、コロＢ、コロＤには、例えば、ポリプラスチックス(株)製のジュラコンＮＷ−０２(ＮＷ−０２は摺動性向上グレード)を用い、コロＣには、例えば、オイレス工業(株)製のグライトロンＦ(四ふっ化エチレン樹脂)を用いる。ジュラコンＮＷ−０２の体積抵抗率(Ω・ｍ)は、１×１０１２であるのに対し、グライトロンＦの体積抵抗率は、３．０４であり(数値はいずれもメーカのカタログデータによる)、体積抵抗率の低いコロＣは、コロＡ、コロＢ、コロＤに比べ、帯電しにくくなっている。
【００６６】
搬送される幅８９ｍｍのカット記録紙の側縁に接触する位置（側縁が通過する位置）には、コロＡ〜Ｄが、設けられておらず、幅８９ｍｍのカット記録紙が、ガイドプレート７６と押さえコロ４８、４９との間を通過しても、幅８９ｍｍのカット記録紙の側縁が、押さえコロ４８、４９に接触しない構成となっている。
【００６７】
搬送される幅１０２ｍｍのカット記録紙の側縁に接触可能な位置（側縁が通過する位置）には、コロＡより径の小さいコロＤが配置されており、幅１０２ｍｍのカット記録紙が、ガイドプレート７６と押さえコロ４８、４９との間を通過しても、カット記録紙の側縁が、ガイドプレート７６から浮いていない状態においては、幅１０２ｍｍのカット記録紙、押さえコロ４８、４９に接触しない構成となっている。
【００６８】
搬送される幅１２７ｍｍのカット記録紙の側縁に接触可能な位置（側縁が通過する位置）には、コロＣが配置されており、幅１２７ｍｍのカット記録紙が、ガイドプレート７６と押さえコロ４８、４９との間を通過した場合は、カット記録紙の側縁がコロＣに接触するが、カット記録紙の側縁の削れ粉がコロＣに付着しにくい構成となっている。なお、幅１２７ｍｍのカット記録紙の側縁が通過する位置のコロの径は、積極的にカット記録紙に接触させるためのコロＡ、コロＢの大径コロ、コロＣに大径コロよりも、径が小さい中径のコロであるため、カット記録紙へ付与される押圧力は、大径のコロに比べ小さく、削れ粉が付着しにくくなっている。
【００６９】
搬送される幅１５２ｍｍのカット記録紙の側縁に接触可能な位置（側縁が通過する位置）には、コロＤと同一径の小径コロが配置されており、幅１５２ｍｍのカット記録紙が、ガイドプレート７６と押さえコロ４８、４９との間を通過しても、カット記録紙の側縁が、ガイドプレート７６から浮いていない状態においては、幅１５２ｍｍのカット記録紙が、押さえコロ４８、４９に接触しない構成となっている。
【００７０】
搬送される幅２０３ｍｍのカット記録紙の側縁に接触可能な位置（側縁が通過する位置）には、コロＣが配置されており、幅２０３ｍｍのカット記録紙が、ガイドプレート７６と押さえコロ４８、４９との間を通過した場合は、カット記録紙の側縁がコロＣに接触するが、カット記録紙の側縁の削れ粉がコロＣに付着しにくい構成となっている。なお、幅２０３ｍｍのカット記録紙の側縁が通過する位置のコロの径は、積極的にカット記録紙に接触させるためのコロＡ、コロＢの大径コロ、コロＣに大径コロよりも、径が小さい中径のコロであるため、カット記録紙へ付与される押圧力は、大径のコロに比べ小さく、削れ粉が付着しにくくなっている。
【００７１】
搬送される幅２１０ｍｍのカット記録紙の側縁に接触可能な位置（側縁が通過する位置）には、コロＡより径の小さいコロＤが配置されており、幅２１０ｍｍのカット記録紙が、ガイドプレート７６と押さえコロ４８、４９との間を通過しても、カット記録紙の側縁が、ガイドプレート７６から浮いていない状態においては、幅２１０ｍｍのカット記録紙が、押さえコロ４８、４９に接触しない構成となっている。
【００７２】
なお、カット記録紙の側縁に対応する位置にコロを設けない構成、カット記録紙の側縁に対応する位置に小径のコロを配置する構成、カット記録紙の側縁に対応する位置に帯電性の低いコロを配置する構成において、押さえコロ４８、４９を構成する各コロＡ〜Ｄを配置する場合は、カット記録紙の搬送中にスキューが生じた場合を考慮して、マージンを設けて配置することが望ましい。
【００７３】
また、本実施形態では、幅１５２ｍｍ及び幅２０３ｍｍのカット記録紙の側縁が接触可能な位置には、帯電性の低いコロＣを用いているが、これは、すべての幅のカット記録紙の側縁に接触する位置に、コロを設けない構成や、小径のコロＤを用いると、カット記録紙がガイドプレート７６から浮きやすくなるため、他の幅に比べ、比較的、使用頻度の低い幅１５２ｍｍ及び幅２０３ｍｍのカット記録紙の側縁に対応する位置には、カット記録紙の側縁に接触するが、帯電しにくく、削れ粉の付着しにくいコロＣを用いている。
【００７４】
次に、上記の実施形態について作用を説明する。
【００７５】
本実施形態では、マガジン２０Ａ、２０Ｂから感光性記録紙３２が引き出され、カッタ３６Ａ、３６Ｂによって、所定のサイズに切断されてカット記録紙が形成される。このカット記録紙は、裏印字部２２、レジスト部２４を経て、画像記録部２６へ搬送される。
【００７６】
画像記録部２６へ搬送されたカット記録紙は、光走査位置Ｅに導入され、露光ユニット４２によって、光走査されて画像が記録される。光走査位置Ｅに導入されるカット記録紙は、押さえコロ４８、４９により、ガイドプレート７６に押さえつけられ、光走査における所定の深度が確保される。
【００７７】
このとき、光走査位置Ｅに導入されたカット記録紙が、幅８９ｍｍのカット記録紙である場合は、そのカット記録紙の側縁に接触する位置（側縁が通過する位置）に、コロＡ〜Ｄが、設けられておらず、幅８９ｍｍのカット記録紙が、ガイドプレート７６と押さえコロ４８、４９との間を通過しても、このカット記録紙の側縁が、押さえコロ４８、４９に接触することがない。
【００７８】
このため、カット記録紙の側縁の削れ粉が押さえコロ４８、４９に付着せず、押さえコロ４８、４９の表面に付着した削れ粉により発生するカット記録紙への多重露光を防止できる。
【００７９】
また、光走査位置Ｅに導入されたカット記録紙が、幅１０２ｍｍ、１５２ｍｍ、２１０ｍｍのカット記録紙である場合は、そのカット記録紙の側縁に接触可能な位置（側縁が通過する位置）には、コロＡより径の小さいコロＤ、又はコロＤと同一径の小径コロが配置されており、幅１０２ｍｍ、１５２ｍｍ、２１０ｍｍのカット記録紙が、ガイドプレート７６と押さえコロ４８、４９との間を通過しても、カット記録紙の側縁が、ガイドプレート７６から浮いていない状態においては、押さえコロ４８、４９にカット記録紙の側縁が接触しない。
【００８０】
このため、カット記録紙の側縁の削れ粉が押さえコロ４８、４９に付着せず、押さえコロ４８、４９の表面に付着した削れ粉により発生するカット記録紙への多重露光を防止できる。
【００８１】
また、カット記録紙の側縁が、ガイドプレート７６から所定量以上浮いた場合には、カット記録紙の側縁に、コロＤ、又はコロＤと同一径の小径コロにカット記録紙の側縁が接触して、カット記録紙の浮きが抑制される。
【００８２】
また、光走査位置Ｅに導入されたカット記録紙が、幅１２７ｍｍ、２０３ｍｍのカット記録紙である場合は、そのカット記録紙の側縁に接触可能な位置（側縁が通過する位置）には、コロＣが配置されており、幅１２７ｍｍ、２０３ｍｍのカット記録紙が、ガイドプレート７６と押さえコロ４８、４９との間を通過した場合は、カット記録紙の側縁がコロＣに接触するが、他の位置にある押さえコロの材質よりも帯電しにくい材質であるため、カット記録紙の側縁の削れ粉がコロＣに付着しにくい。
【００８３】
このため、押さえコロ４８、４９の表面に付着した削れ粉により発生するカット記録紙への多重露光を抑制できる。
【００８４】
このように、本実施形態では、押さえコロ４８、４９の表面に削れ粉が付着しにくい構成となっているため、機器のメンテナンス頻度を著しく向上させることができる。
【００８５】
さらに、本実施形態では、比較的、使用頻度の低い幅１５２ｍｍ及び幅２０３ｍｍのカット記録紙の側縁に対応する位置には、カット記録紙の側縁に接触するが、帯電しにくく、削れ粉の付着しにくいコロＣを用いていることにより、すべての幅のカット記録紙の側縁に接触する位置に、コロを設けない構成や、小径のコロＤを用いる構成に比して、カット記録紙がガイドプレート７６から浮くことを防止し、焦点深度のずれを生じないようにできる。
【００８６】
なお、上記実施の形態では、搬送方向と直交する方向の幅が、８９、１０２、１２７、１５２、２０３、２１０のカット記録紙に対応するように構成されていたが、本発明の構成としては、これに限られず、例えば、搬送方向と直交する方向の幅が９５、１１７、１２０、１３０、１６５、１７８のカット記録紙にも対応する構成であってもよく、また、２１０ｍｍ以上の幅広のカット記録紙に対応する構成であっても構わない。
【００８７】
また、本実施形態では、帯電しにくいコロとして、オイレス工業(株)製のグライトロンＦ(四ふっ化エチレン樹脂)を用いたが、コロの材質は、これに限られず、他の位置に配置されたコロ（コロＡ、Ｂ、Ｄ）よりも帯電しにくいコロであれば構わない。
【００８８】
また、上記実施の形態では、押さえコロは、光走査位置の上流近傍及び、下流近傍に配置されていたが、本発明の押さえコロとしては、これに限られず、例えば、光走査位置の上流近傍及び、下流近傍のどちらか一方に配置される構成であっても構わない。
【００８９】
また、上記実施の形態の構成は、インクを吐出して記録媒体に画像を記録するインクジェット記録装置においても適用することが可能である。インクジェット記録装置では、インクが吐出される吐出位置の上流近傍に、記録媒体を基準ガイドに押さえることにより記録媒体の平滑性を保つ押さえコロを配置する。この押さえコロにおいて、上記実施形態の構成を用いることにより、押さえコロに付着した削り粉が、記録媒体に再付着しないようにすることができる。本発明は、上記の実施の形態に限るものではなく、本発明の要旨を逸脱しない限りにおいて、種々の変形、変更、改良が可能である。
【図面の簡単な説明】
【００９０】
【図１】図１は、本発明の実施形態に係るプリンタプロセサ（画像形成装置）の全体構成を示す図である。
【図２】図２は、本実施形態に係る感光性記録紙の接合部を示す平面図および側面図である。
【図３】図３は、本実施形態に係る搬送装置の概略構成を示す図である。
【図４】図４は、本実施形態に係る各コロユニットの構成及び、搬送される各サイズ幅のカット記録紙と各コロユニットの位置関係を示した図である。
【符号の説明】
【００９１】
１０  プリンタプロセサ（画像形成装置）
３２  感光性記録紙（記録媒体）
４３  搬送装置
４４  搬送ローラ対（搬送手段）
４６  搬送ローラ対（搬送手段）
７６  ガイドプレート（基準ガイド）
Ａ  コロ（従動コロ）
Ｂ  コロ（従動コロ）
Ｃ  コロ（従動コロ）
Ｄ  コロ（従動コロ）
Ｅ  光走査位置
【図１】
2007139978.tif 000003
【図２】
2007139978.tif 000004
【図３】
2007139978.tif 000005
【図４】
2007139978.tif 000006